(57)【特許請求の範囲】
【請求項１】
行列方向の座標に対応する位置に配置された複数の画素と、
前記複数の画素同士の間に配置された複数の副画素とを備え、
前記画素と前記副画素とが千鳥配列となるよう配置され、
前記副画素の色は、第１原色、第２原色又は第３原色のいずれかであり、
前記複数の副画素は、前記複数の画素のそれぞれに前記第１原色の副画素、前記第２原色の副画素及び前記第３原色の副画素が隣接するよう配置され、
前記画素の色は、前記副画素の色よりも輝度が高い高輝度色であり、
前記高輝度色は、白及び黄であり、
行列方向に隣接する前記画素の色が異なり、
前記第３原色は青色であり、
入力信号が示す色成分から白色として出力可能な成分である白色成分を抽出し、白の前記画素が存する座標の前記入力信号から抽出された前記白色成分を白の前記画素に割り当て、黄の前記画素が存する座標の前記入力信号から抽出された前記白色成分を黄の前記画素及び前記第３原色の副画素に割り当て、前記入力信号が示す色成分のうち前記白色成分以外の成分を前記副画素に割り当てる信号処理部を備える
表示装置。
【請求項２】
前記第１原色、前記第２原色はそれぞれ赤、緑である
請求項１に記載の表示装置。
【請求項３】
行列方向の座標に対応する位置に配置された複数の画素と、
前記複数の画素同士の間に配置された複数の副画素とを備え、
前記画素と前記副画素とが千鳥配列となるよう配置され、
前記副画素の色は、赤又は青のいずれかであり、
前記複数の副画素は、前記複数の画素のそれぞれに赤の副画素及び青の副画素が隣接するよう配置され、
前記画素の色は、前記副画素の色よりも輝度が高い複数の高輝度色のいずれかであり、
前記複数の高輝度色のうち一つは、黄であり、
入力信号が示す色成分から白色として出力可能な成分である白色成分を抽出し、抽出された前記白色成分を前記画素、又は、前記画素及び当該画素の色との組み合わせで白色光の強弱を再現することができる色の前記副画素に割り当て、前記入力信号が示す色成分のうち前記白色成分以外の成分であって前記副画素の色で再現可能な成分を前記副画素に割り当てる信号処理部を備える
表示装置。
【請求項４】
前記画素の色は、白、黄及び緑である
請求項３に記載の表示装置。
【請求項５】
前記表示装置が出力することができる色の範囲を示す色域であって、前記副画素の色を頂点とする色域は、前記表示装置による表示出力結果として視認される画像の色域よりも広く、かつ、前記画像の色域を内包する
請求項１から４のいずれか一項に記載の表示装置。
【発明の詳細な説明】
【技術分野】
【０００１】
本発明は、表示装置に関する。
【背景技術】
【０００２】
１つの画素を赤（Ｒ）、緑（Ｇ）、青（Ｂ）、白（Ｗ）の４つの副画素で構成する表示装置が知られている（例えば特許文献１）。
【先行技術文献】
【特許文献】
【０００３】
【特許文献１】特開２０１１−１６４４６４号公報
【発明の概要】
【発明が解決しようとする課題】
【０００４】
特許文献１に記載されているような表示装置で高解像度化を試みると、１つの画素に当該１つの画素より小さい４つの副画素が設けられているため、１つの副画素に割り当てることのできる実装面積が極めて小さくなり、薄膜トランジスタ（Thin  Film  Transistor：ＴＦＴ）及びカラーフィルタの実装が困難になるという問題がある。また、解像度に対応する画素数に対して単純に４倍の数の副画素が設けられていると、高解像度化に伴う副画素の駆動電力の増加が著しく、省電力化が困難になるという問題がある。
【０００５】
本発明は、上記の課題に鑑みてなされたもので、高解像度化に伴う１つの副画素に割り当てられる実装面積の減少の度合いをより低減することができる表示装置を提供することを目的とする。又は、高解像度化に伴う副画素の駆動電力の増加の度合いをより低減することができる表示装置を提供することを目的とする。
【課題を解決するための手段】
【０００６】
本発明の一態様による表示装置は、行列方向の座標に対応する位置に配置された複数の画素と、前記複数の画素同士の間に配置された複数の副画素とを備え、前記画素と前記副画素とが千鳥配列となるよう配置され、前記副画素の色は、第１原色、第２原色又は第３原色のいずれかであり、前記複数の副画素は、前記複数の画素のそれぞれに前記第１原色の副画素、前記第２原色の副画素及び前記第３原色の副画素が隣接するよう配置され、前記画素の色は、前記副画素の色よりも輝度が高い高輝度色である。
【０００７】
本発明の一態様による表示装置は、行列方向の座標に対応する位置に配置された複数の画素と、前記複数の画素同士の間に配置された複数の副画素とを備え、前記画素と前記副画素とが千鳥配列となるよう配置され、前記副画素の色は、赤又は青のいずれかであり、前記複数の副画素は、前記複数の画素のそれぞれに前記赤の副画素及び青の副画素が隣接するよう配置され、前記画素の色は、前記副画素の色よりも輝度が高い複数の高輝度色のいずれかであり、前記複数の高輝度色のうち一つは、黄である。
【図面の簡単な説明】
【０００８】
【図１】図１は、本発明の実施形態１に係る表示装置の構成の一例を示すブロック図である。
【図２】図２は、実施形態１に係る画像表示パネルの画素及び副画素の配置を示す模式図である。
【図３】図３は、実施形態１に係る画像表示パネルの画素及び副画素の点灯駆動回路を示す図である。
【図４】図４は、実施形態１に係る画像表示パネルの断面構造を示す図である。
【図５】図５は、実施形態１に係る画像表示パネルの断面構造を示す図である。
【図６】図６は、行列方向の座標と画素の配置との関係を示す模式図である。
【図７】図７は、行列方向の座標と副画素の配置との関係を示す模式図である。
【図８】図８は、行列方向の座標と副画素の配置との関係を示す模式図である。
【図９】図９は、行列方向の座標と副画素の配置との関係を示す模式図である。
【図１０】図１０は、入力信号を白色成分と白色成分以外の成分とに分けて画素及び副画素に割り当てる方法の一例を示す模式図である。
【図１１】図１１は、画素及び副画素の大きさの対比及び画素及び副画素の形状の一例を示す図である。
【図１２】図１２は、表示装置が有する副画素の各々の発光能力により再現可能な色域と副画素の色の組み合わせで実際に出力される表示装置の色域との関係を示す模式図である。
【図１３】図１３は、実施形態２に係る画像表示パネルの画素及び副画素の配置を示す模式図である。
【図１４】図１４は、実施形態２に係る信号処理部による処理内容の一例を示す模式図である。
【図１５】図１５は、イエロー（Ｙ）の画素及び第３副画素の組み合わせによる白色光の再現の仕組みを示す模式図である。
【図１６】図１６は、実施形態３に係る画像表示パネルの画素及び副画素の配置を示す模式図である。
【図１７】図１７は、実施形態３に係る信号処理部による処理内容の一例を示す模式図である。
【図１８】図１８は、緑（Ｇ）の画素、第１副画素及び第３副画素の組み合わせによる白色光の再現の仕組みを示す模式図である。
【図１９】図１９は、緑色成分の割り当て方法の一例を示す図である。
【図２０】図２０は、実施形態４に係る表示装置の構成の一例を示すブロック図である。
【図２１】図２１は、実施形態４に係る画像表示パネルの構造を模式的に示す断面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、本発明の実施形態１に係る表示装置１０の構成の一例を示すブロック図である。図１に示すように、実施形態１の表示装置１０は、信号処理部２０と、画像表示パネル駆動部３０と、画像表示パネル４０とを有する。信号処理部２０は、制御装置１１の画像出力部１２からの入力信号（ＲＧＢデータ）が入力され、入力信号に所定のデータ変換処理を加えて生成した信号を表示装置１０の各部に送る回路である。画像表示パネル駆動部３０は、信号処理部２０からの信号に基づいて画像表示パネル４０の駆動を制御する回路である。画像表示パネル４０は、画像表示パネル駆動部３０からの信号に基づいて画素の自発光体を点灯させて画像を表示する自発光型の画像表示パネルである。
【００１１】
図２は、実施形態１に係る画像表示パネル４０の画素及び副画素の配置を示す模式図である。図３は、実施形態１に係る画像表示パネル４０の画素及び副画素の点灯駆動回路を示す図である。図４及び図５は、実施形態１に係る画像表示パネルの断面構造を示す図である。図１に示すように、画像表示パネル４０は、複数の画素４８が２次元のマトリクス状（行列状）に配列されている。また、図１では図示を省略しているが、画像表示パネル４０は、複数の副画素４９が２次元のマトリクス状（行列状）に配列されている（図２参照）。
【００１２】
画像表示パネル４０には、画素４８と副画素４９とが千鳥配列となるよう配置されている。具体的には、例えば図２に示すように、画像表示パネル４０には、画素４８の行と副画素４９の行とが列方向に沿って交互に配置されている。また、画素４８の行を構成する画素４８と、副画素４９の行を構成する副画素４９とは列方向について互い違いに配置されており、千鳥配列となっている。また、副画素４９の行を挟んで対向する画素４８の行を構成する画素４８同士は、列方向に沿って並ぶ。また、画素４８の行を挟んで対向する副画素４９の行を構成する副画素４９同士は、列方向に沿って並ぶ。以下、列方向に沿って並ぶ画素４８により構成される列を画素４８の列とする。また、列方向に沿って並ぶ副画素４９により構成される列を副画素４９の列とする。図２等では、画素４８に白（Ｗ）を示す「Ｗ」の文字を付し、第１副画素４９Ｒに赤（Ｒ）を示す「Ｒ」の文字を付し、第２副画素４９Ｇに緑（Ｇ）を示す「Ｇ」の文字を付し、第３副画素４９Ｂに青（Ｂ）を示す「Ｂ」の文字を付している。
【００１３】
副画素４９の色は、第１原色、第２原色又は第３原色のいずれかである。具体的には、例えば図２に示すように、実施形態１に係る副画素４９の色は、第１原色としての赤（Ｒ）、第２原色としての緑（Ｇ）又は第３原色としての青（Ｂ）のいずれかである。
【００１４】
複数の副画素４９は、複数の画素４８のそれぞれに第１原色の副画素、第２原色の副画素及び第３原色の副画素が隣接するよう配置されている。具体的には、例えば図２に示すように、１つの画素４８に、赤（Ｒ）の副画素である第１副画素４９Ｒ、緑（Ｇ）の副画素である第２副画素４９Ｇ及び青（Ｂ）の副画素である第３副画素４９Ｂが隣接するよう複数の副画素４９が配置されている。以下、第１副画素４９Ｒ、第２副画素４９Ｇ及び第３副画素４９Ｂの区別が必要ない説明又はこれらの全てを含む説明においては単に副画素４９と記載することがある。
【００１５】
より具体的には、実施形態１において、第１副画素４９Ｒの数と、第２副画素４９Ｇの数と、第３副画素４９Ｂの数との比は、１：２：１になっている。また、実施形態１では、１つの画素４８に、１つの第１副画素４９Ｒ、２つの第２副画素４９Ｇ及び１つの第３副画素４９Ｂが隣接するよう複数の副画素４９が配置されている。副画素４９の行は、行方向に第２副画素４９Ｇと第１副画素４９Ｒ又は第３副画素４９Ｂとが交互に配置されてなる。１つの副画素４９の行に存する副画素４９の色は２色であり、うち１色は緑（Ｇ）である。また、副画素４９の列は、行方向に第２副画素４９Ｇと第１副画素４９Ｒ又は第３副画素４９Ｂとが交互に配置されてなる。１つの副画素４９の列に存する副画素４９の色は２色であり、うち１色は緑（Ｇ）である。
【００１６】
画素の色は、副画素の色よりも輝度が高い高輝度色である。具体的には、例えば図２に示すように、実施形態１に係る画素４８の色である高輝度色は、白（Ｗ）である。
【００１７】
画素４８及び副画素４９は、点灯駆動回路を有する。具体的には、点灯駆動回路は、図３に示すように、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお図３では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１８】
画像表示パネル駆動部３０は、画像表示パネル４０の制御装置であって、信号出力回路３１、走査回路３２及び電源回路３３を備えている。信号出力回路３１は、信号線ＤＴＬによって画像表示パネル４０と電気的に接続されている。信号出力回路３１は、入力された画像出力信号を保持し、順次、画像表示パネル４０の画素４８及び副画素４９（以下、画素等）に出力する。走査回路３２は、走査線ＳＣＬによって画像表示パネル４０と電気的に接続されている。走査回路３２は、画像表示パネルにおける画素等を選択し、画素等の動作（発光強度）を制御するためのスイッチング素子（例えば、薄膜トランジスタ（Thin  Film  Transistor：ＴＦＴ））のオン及びオフを制御する。電源回路３３は、電源線ＰＣＬによって画素等の有機発光ダイオードＥ１へ電力を供給する。
【００１９】
図４及び図５に示すように、画像表示パネル４０は、基板５１と、絶縁層５２、５３と、反射層５４と、下部電極５５と、自発光層５６と、上部電極５７と、絶縁層５８，５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素４９Ｒと、第２副画素４９Ｇと、第３副画素４９Ｂと、画素４８とにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素４９Ｒと、第２副画素４９Ｇと、第３副画素４９Ｂと、画素４８とを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００２０】
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００２１】
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２２】
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（略称：ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２３】
上部電極５７は、インジウム錫酸化物（Indium  Tin  Oxide：ＩＴＯ）等の透光性導電材料（透光性導電酸化物）で形成される透光性電極である。なお実施形態１では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示パネル４０全体を保護する透光性の基板であり、例えば、ガラス基板を用いることができる。なお、図４及び図５においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光槽の積層順を適宜変えることも可能である。
【００２４】
図４では、所定の方向に沿って並ぶ複数の画素４８（例えば、実施形態１に係る画素４８の行又は画素４８の列）を示す符号として、符号４８Ｌを付している。また、図５では、所定の方向に沿って並ぶ複数の副画素４９（例えば、実施形態１に係る副画素４９の行又は副画素４９の列）を示す符号として、符号４９Ｌを付している。
【００２５】
画像表示パネル４０は、カラー表示パネルであり、自発光層５６の発光成分のうち、副画素４９と画像観察者との間に、副画素４９の色に応じた色の光を通過させるカラーフィルタ６１が配置されている。画像表示パネル４０は、赤（Ｒ）、緑（Ｇ）、青（Ｂ）及び白（Ｗ）に対応する色の光を発光することができる。なお、白（Ｗ）に対応する画素４８と画像観察者との間にカラーフィルタ６１が配置されていないようにしてもよい。また、画像表示パネル４０は、自発光層５６の発光成分がカラーフィルタ６１などの色変換層を介さず、第１副画素４９Ｒ、第２副画素４９Ｇ、第３副画素４９Ｂ、画素４８の各々の色を発光することもできる。例えば画像表示パネル４０は、画素４８には、色調整用のカラーフィルタ６１の代わりに透明な樹脂層が備えられていてもよい。このように画像表示パネル４０は、透明な樹脂層を設けることで、画素４８に大きな段差が生じることを抑制することができる。
【００２６】
次に、画素４８及び副画素４９と入力信号との関係について説明する。図６は、行列方向の座標と画素４８の配置との関係を示す模式図である。図６及び後述する図７〜図９では、行列方向の座標を破線の矩形で示しており、１つの矩形が１つの座標に対応する。図６に示すように、画素４８は、行列方向の座標に対応する位置に配置されている。例えば、入力信号のもとになる入力画像を構成する１又は複数の画素の座標と、画像表示パネル４０の１又は複数の画素４８の座標とが対応することになる。入力画像の画素数と画像表示パネル４０の画素４８の数との比が行列方向ともに１：１である場合、入力画像の座標と画素４８の座標とは１：１で対応するものになる。また、当該比が１：１でない場合、制御装置１１又は信号処理部２０が行う座標の対応付けのための入力画像の画素数変更処理によって入力画像の画素の座標と画像表示パネル４０の画素４８の座標との対応付けが行われることになる。画像表示パネル４０は、入力信号が示す色成分のうち白色として出力可能な成分である白色成分については、入力信号が示す行列方向の座標をそのまま反映した出力を行うことができる。例えば、図６に示す５×５の画素４８及びこれらの画素４８に隣接する副画素４９を有する画素領域に対する入力信号により表示される画像の解像度は、５×５である。画像表示パネル４０は、当該画像の白色成分を画素４８が出力することで、白色成分については当該画像の解像度をそのまま反映することができる。すなわち、実施形態１の画像表示パネル４０によれば、白色成分についてリアル解像度を得られる。
【００２７】
一方、実施形態１の入力信号はＲＧＢデータであり、白色成分以外の色成分を示す情報を含みうる。そこで、実施形態１の信号処理部は、入力信号が示す色成分から白色として出力可能な成分である白色成分を抽出して画素４８に割り当て、入力信号が示す色成分のうち白色成分以外の成分を副画素４９に割り当てる。
【００２８】
図７、図８及び図９は、行列方向の座標と副画素４９の配置との関係を示す模式図である。上記で説明したように、画像表示パネル４０は、赤（Ｒ）の副画素である第１副画素４９Ｒ、緑（Ｇ）の副画素である第２副画素４９Ｇ及び青（Ｂ）の副画素である第３副画素４９Ｂが１つの画素４８に隣接するよう複数の副画素４９が配置されている。信号処理部２０は、白色成分以外の成分をこれらの副画素４９に割り当てる。具体的には、信号処理部２０は、図７に示すように、白色成分以外の成分のうち、赤色成分を第１副画素４９Ｒに割り当てる。また、信号処理部２０は、図８に示すように、白色成分以外の成分のうち、緑色成分を第２副画素４９Ｇに割り当てる。また、信号処理部２０は、図９に示すように、白色成分以外の成分のうち、青色成分を第３副画素４９Ｂに割り当てる。図７、図８及び図９では、入力信号が示す白色成分以外の成分のうち、赤（Ｒ）、緑（Ｇ）、青（Ｂ）の成分を破線の円で示し、係る成分と係る成分が割り当てられる副画素４９との位置関係を矢印で示している。なお、図７、図８及び図９では、座標を示す破線によって副画素４９が４等分されているが、副画素４９は係る４等分の各々で独立して発光するのでなく、１つの副画素４９を１つの制御単位として発光状態が制御される。
【００２９】
図１０は、入力信号を白色成分と白色成分以外の成分とに分けて画素４８及び副画素４９に割り当てる方法の一例を示す模式図である。例えば、図１０で示す（Ｒ，Ｇ，Ｂ）＝（２５５，２５５，１２７）の入力信号は、（Ｒ，Ｇ，Ｂ）＝（１２７，１２７，１２７）の白色成分と、白色成分以外の成分である（Ｒ，Ｇ，Ｂ）＝（１２８，１２８，０）の成分とに分けることができる。信号処理部２０は、入力信号が示す色成分から白色成分を抽出して画素４８に割り当てる。また、信号処理部２０は、白色成分以外の成分である（Ｒ，Ｇ，Ｂ）＝（１２８，１２８，０）のうち、（Ｒ，Ｇ，Ｂ）＝（１２８，０，０）の成分を第１副画素４９Ｒに割り当てる。また、信号処理部２０は、白色成分以外の成分である（Ｒ，Ｇ，Ｂ）＝（１２８，１２８，０）のうち、（Ｒ，Ｇ，Ｂ）＝（０，１２８，０）の成分を第２副画素４９Ｇに割り当てる。１つの画素４８に隣接する第２副画素４９Ｇは２つあるため、信号処理部２０は、２つの第２副画素４９Ｇに（Ｒ，Ｇ，Ｂ）＝（０，１２８，０）の成分を分散させるように割り当てる。実施形態１の信号処理部２０は、緑色成分を等分して２つの第２副画素４９Ｇに割り当てているが、これは成分の分散方法の具体例であってこれに限られるものでなく、２つの第２副画素４９Ｇのそれぞれに対する緑色成分の分散の割合については適宜変更可能である。
【００３０】
図１０に示す例では、白色成分以外の成分（Ｒ，Ｇ，Ｂ）＝（１２８，１２８，０）に青色成分が含まれていないため、第３副画素４９Ｂは点灯しない。なお、白色成分は必ずしも最大限抽出される必要はない。例えば、（２５５，２５５，１２７）の入力信号から抽出する白色成分を（Ｒ，Ｇ，Ｂ）＝（１００，１００，１００）とした場合、白色成分以外の成分である（Ｒ，Ｇ，Ｂ）＝（１５５，１５５，２７）に含まれる青色成分（２７）に応じて第３副画素４９Ｂを点灯させることができる。入力信号のうち、白色光とすることが可能な成分のうちどの程度を白色成分として抽出するかは任意である。また、図１０を参照した説明では５×５の画素領域を例としているが、係る画素領域に限らず、画像表示パネル４０が有する任意の画素領域について同様の処理を適用することができる。
【００３１】
図７に示すように、１つの第１副画素４９Ｒには、１〜４の画素４８が隣接している。このため、信号処理部２０は、１つの第１副画素４９Ｒに対して最大で４つの画素４８から赤色成分を集約するように赤色成分を割り当てる。図８、図９に示すように、第２副画素４９Ｇと緑色成分及び第３副画素４９Ｂと青色成分についても同様に、信号処理部２０は、１つの第２副画素４９Ｇ、第３副画素４９Ｂに対して最大で４つの画素４８から緑色成分、青色成分を集約するように緑色成分、青色成分を割り当てる。ただし、緑色成分については、１つの第２副画素４９Ｇに１〜４の画素４８が隣接しているものの、第２副画素４９Ｇの数が第１副画素４９Ｒの数（第３副画素４９Ｂの数）に比して２倍であるため、赤色成分及び青色成分に比して１つの副画素４９に集約される緑色成分が少なくなる。なお、図７、図８及び図９では、図示されている画素４８に対応する座標の入力信号から割り当てられる成分についてのみ図示しているが、実際には副画素４９に隣接する画素４８のうち図示されていない画素４８からも副画素４９の色に対応する成分が割り当てられる。
【００３２】
図１１は、画素４８及び副画素４９の大きさの対比及び画素４８及び副画素４９の形状の一例を示す図である。上記のように、副画素４９は複数の画素４８の座標に対応する入力信号から得られた白色成分以外の成分を割り当てられることになる。例えば１つの画素４８に対する入力信号が示す赤色成分の階調値が０〜２５５の間で示される場合、１つの第１副画素４９Ｒに割り当てられる階調値は０〜１０２０の値を取り得る。このため、実施形態１に係る副画素４９は、複数の画素４８の座標に対応する入力信号から得られた白色成分以外の成分を出力することができる発光能力を発揮することができるように設けられている。また、画素４８及び副画素４９の形状は、係る発光能力を考慮して決定されている。具体的には、例えば図１１に示すように、副画素４９の発光領域は、画素４８の発光領域に比して大きく設けられている。また、複数の副画素４９が行列方向に隣接する八角形状の発光領域を有する。また、画素４８は、八角形状の副画素４９同士の間に存する矩形状の領域に設けられ、当該矩形状の発光領域を有する。
【００３３】
実施形態１では、入力信号が示す色成分のうち白色成分以外の成分を、当該入力信号の座標に対応する画素４８に隣接する副画素４９に割り当てているが、いずれの副画素４９にどの座標の入力信号の成分を割り当てるかは任意であり、信号処理部２０による信号処理のアルゴリズムによって決定することができる。
【００３４】
実施形態１では、表示装置１０が有する副画素４９の各々の発光能力を、副画素４９の色の組み合わせで再現される表示装置１０の色域に必要な発光能力よりも高くしてもよい。この場合、表示装置が出力することができる色の範囲を示す色域であって、副画素の色を頂点とする色域は、当該表示装置による表示出力結果として視認される画像の色域よりも広く、かつ、当該画像の色域を内包することになる。係る色域について、図１２を参照して説明する。
【００３５】
図１２は、表示装置１０が有する副画素４９の各々の発光能力により再現可能な色域と副画素４９の色の組み合わせで実際に出力される表示装置１０の色域との関係を示す模式図である。仮に、表示装置１０が有する副画素４９の各々の発光能力により再現可能な色域と副画素４９の色の組み合わせで実際に出力される表示装置１０の色域とが同一の色域Ｌ１である、すなわち、表示装置１０の副画素４９が有する発光能力のポテンシャルによる最大の色域と表示装置１０の表示出力において視認されうる実効色域とが同一であるとすると、表示装置１０は、最大階調値の原色１色の出力に際して当該原色の副画素４９を最大発光能力で点灯させる。言い換えれば、この仮定の条件下にある表示装置１０は、最大階調値の原色１色の出力に際して他の色の副画素４９を点灯させることができない。なぜなら、他の色の副画素４９を点灯させると、表示装置１０の再現色が点灯した色の方向に引っ張られてしまって原色としての出力にならなくなるからである。例えば、赤（Ｒ）を最大階調値で出力しようとした場合に他の色の副画素４９が点灯していると、再現色が赤（Ｒ）以外のいずれかの色側に近づいてしまって赤（Ｒ）の原色に対応しない色になってしまう。他の原色についても同様である。最大階調値の原色１色の出力に際して他の色の副画素４９を点灯させることができない場合、当該原色１色の副画素４９のみが点灯する表示出力内容となることで、画素４８及び副画素４９の精細度によっては表示に係る粒状感として視認されることがある。
【００３６】
係る粒状感を低減する方法として、例えば、図１２に示すように、表示装置１０が有する副画素の各々の発光能力により再現可能な色域（符号Ｌ２）が、副画素の色の組み合わせで実際に出力される表示装置１０の色域（符号Ｌ１）よりも大きくすることで、最大階調値の原色１色の出力に際して当該原色以外の色の副画素４９を点灯させることができる。例えば、赤（Ｒ）を「実際に出力される表示装置１０の色域」の最大階調値で出力しようとした場合、目標となる色は図１２の色域に係る符号Ｐ１に対応する。ここで、表示装置１０が有する第１副画素４９Ｒを最大発光能力で点灯させたとき、仮に他の副画素４９が点灯していないとすると、出力される色は図１２の色域に係る符号Ｐ１よりも外側に位置する符号Ｐ２に対応する。このままでは「実際に出力される表示装置１０の色域」から外れた色になってしまうが、他の色の副画素４９を点灯させることで、出力される光の色成分を「実際に出力される表示装置１０の色域」側に寄せることができる。例えば、緑（Ｇ）及び青（Ｂ）を共に点灯させることで、矢印Ｖで示すように符号Ｐ２から符号Ｐ１側に色を引っ張ることができる。また、画素４８を点灯させて白（Ｗ）成分を出力することによっても、符号Ｐ２から符号Ｐ１側に色を引っ張ることができる。このように例示した「Ｐ２から符号Ｐ１側に色を引っ張ることができる」点灯パターンは２つ以上組み合わせることができる。以上、赤（Ｒ）の色再現時を例として説明したが、他の原色や他の補色の出力時においても同様に、「再現することが意図されている色」以外の副画素を点灯させることができるようになる。すなわち、副画素４９の各々の発光能力が副画素４９の色の組み合わせで再現される表示装置１０の色域に必要な発光能力よりも高いことで、出力する色に関わらずより多くの副画素４９を点灯させることができるようになる。このため、表示出力内容に関わらず粒状感をより低減することができ、リアル解像度に応じた解像感を発揮しやすくなる。
【００３７】
以上説明したように、実施形態１の表示装置１０によれば、副画素４９によらず、高輝度色である画素４８によってリアル解像度による解像感を得ることができることから、解像感と副画素４９の数との相関を低くすることができる。このため、高解像度化に伴う１つの副画素４９に割り当てられる実装面積の減少の度合いをより低減することができる。よって、解像感の確保に際して、高解像度化による画素４８の数の増加に伴う副画素４９の増加の度合いをより低減することができることから、副画素４９の駆動電力の増加の度合いをより低減することができる。また、画素４８と副画素４９とが千鳥配列となるよう配置され、複数の画素４８のそれぞれに第１原色の副画素（第１副画素４９Ｒ）、第２原色の副画素（第２副画素４９Ｇ）及び第３原色の副画素（第３副画素４９Ｂ）が隣接するよう配置されているので、これらの原色を用いた色再現と画素４８による解像感とを両立することができる。
【００３８】
また、高輝度色が白（Ｗ）であるので、画素４８を用いて白色光の強弱による明暗の出力をより高い効率で行うことができる。ここでいう効率とは、消費電力に対する輝度、明度をさす。
【００３９】
また、入力信号が示す色成分から白色として出力可能な成分である白色成分を抽出して画素４８に割り当て、入力信号が示す色成分のうち白色成分以外の成分を副画素４９に割り当てることで、副画素４９の原色を用いた色再現と画素４８の白色による明暗の再現による解像感とを両立することができる。
【００４０】
また、表示装置が出力することができる色の範囲を示す色域であって、副画素の色を頂点とする色域は、当該表示装置による表示出力結果として視認される画像の色域よりも広く、かつ、当該画像の色域を内包することで、表示に係る粒状感を低減することができる。
【００４１】
（実施形態２）
次に、本発明の実施形態２に係る表示装置について、図１３〜図１５を参照して説明する。上記の実施形態１と同様の構成については同じ符号を付して説明を省略することがある。実施形態２は、画素４８の色である高輝度色が白色のみでないことと、係る画素４８の色を踏まえて行われる信号処理部２０による信号処理の具体的内容とを除いて実施形態１と同様である。
【００４２】
図１３は、実施形態２に係る画像表示パネル４０の画素及び副画素の配置を示す模式図である。図１３に示すように、実施形態２に係る高輝度色は、白（Ｗ）及び黄（イエロー（Ｙ））である。また、実施形態２では、行列方向に隣接する画素４８の色が異なる。すなわち、図１３に示すように、実施形態２に係る画素４８の行は、白（Ｗ）の画素である画素４８Ｗとイエロー（Ｙ）の画素である画素４８Ｙとが行方向に沿って交互に配置されてなる。また、実施形態２に係る画素４８の列は、画素４８Ｗと画素４８Ｙとが列方向に沿って交互に配置されてなる。以下、画素の色の区別が必要ない説明又は色に関わらず全ての画素を含む説明においては単に画素４８と記載することがある。なお、図１３はあくまで配置を示すための模式図であり、実施形態２に係る画素４８及び副画素４９の大きさの対比及び画素４８及び副画素４９の形状については、図１１を参照して説明した実施形態１のものと同様のものを適用することができる。
【００４３】
図１４は、実施形態２に係る信号処理部２０による処理内容の一例を示す模式図である。実施形態２に係る信号処理部２０は、入力信号が示す色成分から白色として出力可能な成分である白色成分を抽出し、白の画素が存する座標の入力信号から抽出された白色成分を白の画素に割り当て、黄（イエロー（Ｙ））の画素が存する座標の入力信号から抽出された白色成分を黄の画素及び第３原色の副画素に割り当て、入力信号が示す色成分のうち白色成分以外の成分を副画素に割り当てる。具体的には、実施形態２に係る信号処理部２０は、白の画素である画素４８Ｗによる出力に係る処理について、実施形態１に係る画素４８による出力に係る処理と同様の処理を行う。一方、イエロー（Ｙ）の画素である画素４８Ｙについて、信号処理部２０は、白色成分を青色成分と黄色成分とに再分解し、青色成分を第３副画素４９Ｂに割り当て、黄色成分を画素４８Ｙに割り当てる。
【００４４】
図１５は、画素４８Ｙ及び第３副画素４９Ｂの組み合わせによる白色光の再現の仕組みを示す模式図である。実施形態２では、実施形態１と同様、赤（Ｒ）の副画素である第１副画素４９Ｒ、緑（Ｇ）の副画素である第２副画素４９Ｇ及び青（Ｂ）の副画素である第３副画素４９Ｂが１つの画素４８に隣接するよう複数の副画素４９が配置されている。このため、画素４８Ｙにも当然、第３副画素４９Ｂが隣接している。実施形態２では、図１５に示すように、第３副画素４９Ｂと画素４８Ｙとによって青色成分に応じた光と黄色成分に応じた光とを出力することで白色の出力を再現する。すなわち、実施形態２では、第３原色が青色であることで、イエロー（Ｙ）の画素である画素４８Ｙが存する座標に係る白色成分の出力を第３副画素４９Ｂと画素４８Ｙとによって行うことができる。
【００４５】
なお、イエロー（Ｙ）の画素である画素４８Ｙは、青（Ｂ）の副画素である第３副画素４９Ｂよりも高輝度である。このため、白色成分の再現のために第３副画素４９Ｂ及び画素４８Ｙの両方が発光した場合の輝度重心は、画素４８Ｙ側に存することになる。このような第３副画素４９Ｂ及び画素４８Ｙを含む表示領域を視認したユーザは、画素４８Ｙの位置で白色光の光源が点灯しているかのように感じる。この仕組みにより、実施形態２に係る表示装置は、実施形態１と同等のリアル解像度を得ている。
【００４６】
また、イエロー（Ｙ）の画素が設けられていることによって、黄色成分を出力する際に赤（Ｒ）と緑（Ｇ）を点灯させて黄色成分を出力する場合に比してイエロー（Ｙ）を点灯させることでより高い効率で黄色成分を出力することができる。特に、図３に示すようなＯＬＥＤ（Organic  Light  Emitting  Diode）方式の表示装置に係るイエロー（Ｙ）は発光効率が白（Ｗ）と同等に高く、黄色成分を含む表示出力の際により高効率、低消費電力で表示出力を行うことができる。
【００４７】
以上、実施形態２によれば、実施形態１と同様の効果に加えて、高輝度色が白（Ｗ）及び黄（イエロー（Ｙ））であるので、明暗の再現による解像感と、黄（イエロー（Ｙ））が存することよる高効率、低消費電力での表示出力とを両立することができる。
【００４８】
また、第３原色が青色であり、入力信号が示す色成分から白色として出力可能な成分である白色成分を抽出し、白（Ｗ）の画素４８Ｗが存する座標の入力信号から抽出された白色成分を白（Ｗ）の画素４８Ｗに割り当て、黄（イエロー（Ｙ））の画素４８Ｙが存する座標の入力信号から抽出された白色成分を黄（イエロー（Ｙ））の画素４８Ｙ及び第３原色の副画素（第３副画素４９Ｂ）に割り当て、入力信号が示す色成分のうち白色成分以外の成分を副画素４９に割り当てることで、画素４８の色によらず実質的に白色光の明暗を画素４８の位置で再現することによる解像感と副画素４９の原色を用いた色再現とを両立することができる。
【００４９】
（実施形態３）
次に、本発明の実施形態３に係る表示装置について、図１６〜図１８を参照して説明する。上記の実施形態１と同様の構成については同じ符号を付して説明を省略することがある。実施形態３は、画素４８の色である高輝度色が白色のみでないことと、係る画素４８の色を踏まえて行われる信号処理部２０による信号処理の具体的内容とを除いて実施形態１と同様である。
【００５０】
図１６は、実施形態３に係る画像表示パネル４０の画素及び副画素の配置を示す模式図である。実施形態３に係る表示装置は、入力信号が示す行列方向の座標に対応する位置に配置された複数の画素４８と、複数の画素同士の間に配置された複数の副画素４９とを備え、画素４８と副画素４９とが千鳥配列となるよう配置され、副画素の色は、赤（Ｒ）又は青（Ｂ）のいずれかであり、複数の副画素４９は、複数の画素４８のそれぞれに赤（Ｒ）の副画素及び青（Ｂ）の副画素が隣接するよう配置され、画素の色は、副画素の色よりも輝度が高い複数の高輝度色のいずれかであり、複数の高輝度色のうち一つは、黄である。
【００５１】
具体的には、例えば図１６に示すように、実施形態３に係る副画素４９は、第１副画素４９Ｒ又は第３副画素４９Ｂのいずれかであり、第２副画素４９Ｇを含まない。具体的には、実施形態３に係る副画素４９の行は、第１副画素４９Ｒと第３副画素４９Ｂとが行方向に沿って交互に配置されてなる。また、実施形態３に係る副画素４９の列は、第１副画素４９Ｒと第３副画素４９Ｂとが列方向に沿って交互に配置されてなる。一方、実施形態３に係る画素の色は、白、黄及び緑である。具体的には、実施形態３では、白（Ｗ）の画素である画素４８Ｗと緑（Ｇ）の画素である画素４８Ｇとが行方向に沿って交互に配置されてなる画素の行と、イエロー（Ｙ）の画素である画素４８Ｙと画素４８Ｇとが行方向に沿って交互に配置されてなる画素の行とが列方向に沿って交互に配置されている。また、画素４８Ｗと画素４８Ｇとが列方向に沿って交互に配置されてなる画素の列と、画素４８Ｙと画素４８Ｇとが列方向に沿って交互に配置されてなる画素の列とが行方向に沿って交互に配置されている。なお、図１６はあくまで配置を示すための模式図であり、実施形態３に係る画素４８及び副画素４９の大きさの対比及び画素４８及び副画素４９の形状については、図１１を参照して説明した実施形態１のものと同様のものを適用することができる。
【００５２】
図１７は、実施形態３に係る信号処理部２０による処理内容の一例を示す模式図である。実施形態３に係る信号処理部２０は、入力信号が示す色成分から白色として出力可能な成分である白色成分を抽出し、抽出された白色成分を画素４８、又は、画素４８及び当該画素４８の色との組み合わせで白色光の強弱を再現することができる色の副画素４９に割り当て、入力信号が示す色成分のうち白色成分以外の成分であって副画素４９の色で再現可能な成分を副画素４９に割り当てる。具体的には、実施形態３に係る信号処理部２０は、白の画素である画素４８Ｗによる出力に係る処理について、実施形態１に係る画素４８による出力に係る処理と同様の処理を行う。また、実施形態３に係る信号処理部２０は、イエロー（Ｙ）の画素である画素４８Ｙによる出力に係る処理について、実施形態２に係る画素４８Ｙによる出力に係る処理と同様の処理を行う。また、緑（Ｇ）の画素である画素４８Ｇについて、信号処理部２０は、白色成分を赤色成分、緑色成分及び青色成分に再分解し、黄色成分を第１副画素４９Ｒに割り当て、緑色成分を画素４８Ｇに割り当て、青色成分を第３副画素４９Ｂに割り当てる。
【００５３】
図１８は、画素４８Ｇ、第１副画素４９Ｒ及び第３副画素４９Ｂの組み合わせによる白色光の再現の仕組みを示す模式図である。実施形態３では、赤（Ｒ）の副画素である第１副画素４９Ｒ及び青（Ｂ）の副画素である第３副画素４９Ｂが１つの画素４８に隣接するよう複数の副画素４９が配置されている。このため、画素４８Ｇにも当然、第１副画素４９Ｒ及び第３副画素４９Ｂが隣接している。実施形態３では、図１８に示すように、画素４８Ｇと画素４８Ｇに隣接する第１副画素４９Ｒ及び第３副画素４９Ｂによって緑色成分、赤色成分及び青色成分に応じた光を出力することで白色の出力を再現する。
【００５４】
なお、緑（Ｇ）の画素である画素４８Ｇは、赤（Ｒ）の副画素である第１副画素４９Ｒ及び青（Ｂ）の副画素である第３副画素４９Ｂよりも高輝度である。このため、白色成分の再現のために画素４８Ｇ、第１副画素４９Ｒ及び第３副画素４９Ｂが発光した場合の輝度重心は、画素４８Ｇ側に存することになる。このような画素４８Ｇ、第１副画素４９Ｒ及び第３副画素４９Ｂを含む表示領域を視認したユーザは、画素４８Ｇの位置で白色光の光源が点灯しているかのように感じる。この仕組みにより、実施形態３に係る表示装置は、実施形態１と同等のリアル解像度を得ている。
【００５５】
図１９は、緑色成分の割り当て方法の一例を示す図である。実施形態３では、各座標に対応する入力信号が示す色成分のうち緑色成分を、画素４８Ｇに割り当てる。具体的には、実施形態３に係る信号処理部２０は、図１９に示すように、画素４８Ｇでない画素、すなわち、画素４８Ｗ又は画素４８Ｙの座標に対応する入力信号が示す色成分のうち緑色成分を隣接する画素４８Ｇに割り当てる。実施形態３に係る画素４８Ｇは、２つ分の画素４８に対する入力信号が示す緑色成分を出力することができる発光能力を有する。
【００５６】
以上、実施形態３によれば、高輝度色である画素４８によってリアル解像度による解像感を得ることができることから、高解像度化に伴う１つの副画素４９に割り当てられる実装面積の減少の度合いをより低減することができる。よって、解像感の確保に際して、高解像度化による画素４８の数の増加に伴う副画素４９の増加の度合いをより低減することができることから、副画素４９の駆動電力の増加の度合いをより低減することができる。また、画素４８と副画素４９とが千鳥配列となるよう配置され、複数の画素４８のそれぞれに第１原色の副画素（第１副画素４９Ｒ）及び第３原色の副画素（第３副画素４９Ｂ）が隣接するよう配置されているので、これらの原色を用いた色再現と画素４８による解像感とを両立することができる。
【００５７】
また、入力信号が示す色成分から白色として出力可能な成分である白色成分を抽出し、抽出された白色成分を画素４８、又は、画素４８及び当該画素４８の色との組み合わせで白色光の強弱を再現することができる色の副画素４９に割り当て、入力信号が示す色成分のうち白色成分以外の成分であって副画素４９の色で再現可能な成分を副画素４９に割り当てることで、副画素４９の原色を用いた色再現と画素４８による解像感とを両立することができる。
【００５８】
また、画素４８の色が、白（Ｗ）、黄（イエロー（Ｙ）及び緑（Ｇ）であるので、白（Ｗ）の画素４８Ｗ及び黄（イエロー（Ｙ）の画素４８Ｙで実施形態１，２と同様の効果を得られるとともに、緑（Ｇ）の画素４８Ｇと赤（Ｒ）の第１副画素４９Ｒ及び青（Ｂ）の第３副画素４９Ｂとを用いて白色成分と白色成分以外の成分の両方を出力することができる。よって、ＲＧＢカラーを用いた色再現と画素４８による解像感とを両立することができる。
【００５９】
また、実施形態３では、実施形態１，２よりも赤（Ｒ）及び青（Ｂ）の副画素の数を増やすことができるので、入力信号が示す色成分のうち赤色成分及び青色成分の出力をより多い数の副画素４９を用いて行うことができ、これらの色成分に係る出力における解像感を高めることがより容易になる。
【００６０】
（実施形態４）
次に、本発明の実施形態４について説明する。実施形態４に係る表示装置１０ｃは、画像表示パネルが反射型の液晶表示パネルである点で、実施形態１〜３に係る表示装置１０とは異なる。実施形態４に係る表示装置１０ｃは、その他の点で実施形態１〜３と構成が共通するため、共通する箇所の説明を省略する。
【００６１】
図２０は、実施形態４に係る表示装置の構成の一例を示すブロック図である。図２０に示すように、実施形態４の表示装置１０ｃは、信号処理部２０ｃと、画像表示パネル４０ｃと、光源部７２とを有する。表示装置１０ｃは、外光を画像表示パネル４０ｃで反射させることにより、画像を表示する。さらに、表示装置１０ｃは、外光が十分でない屋外での夜間使用や暗所での使用の場合等には、光源部７２から発光される光を画像表示パネル４０ｃで反射させることによっても、画像を表示することができる。
【００６２】
図２１は、実施形態４に係る画像表示パネルの構造を模式的に示す断面図である。図２１に示すように、画像表示パネル４０ｃは、互いに対向するアレイ基板４１と対向基板４２とを有し、アレイ基板４１と対向基板４２との間に液晶素子が封入された液晶層４３が設けられている。
【００６３】
アレイ基板４１は、液晶層４３側の面に、複数の画素電極４４を有する。画素電極４４は、スイッチング素子を介して信号線ＤＴＬに接続されており、映像信号としての画像出力信号が印加される。画素電極４４は、例えばアルミニウム又は銀製の反射性を有する部材であり、外光又は光源部７２からの光を反射する。すなわち、実施形態４においては、画素電極４４が反射部を構成し、反射部は、画像表示パネル４０ｃの前面（画像を表示する側の面）から入射された光を反射して、画像を表示させる。
【００６４】
対向基板４２は、例えばガラス等の透明性を有する基板である。対向基板４２は、液晶層４３側の面に、対向電極４５及びカラーフィルタ４６を有する。より詳しくは、対向電極４５は、カラーフィルタ４６の液晶層４３側の面に設けられている。
【００６５】
対向電極４５は、例えばＩＴＯ（Indium  Tin  Oxide）、又はＩＺＯ（Indium  Zinc  Oxide）等の透明性を有する導電性材料である。対向電極４５は、画素電極４４が接続されているスイッチング素子と接続されている。画素電極４４と対向電極４５とは対向して設けられているため、画素電極４４と対向電極４５との間に画像出力信号による電圧が印加されると、画素電極４４と対向電極４５とは、液晶層４３内に電界を生じさせる。液晶層４３内に生じた電界により液晶素子がツイストして複屈折率が変化し、表示装置１０ｃは、画像表示パネル４０ｃから反射される光量を調整する。画像表示パネル４０ｃは、いわゆる縦電界方式であるが、画像表示パネル４０ｃの表示面に平行な方向に電界を発生させる横電界方式であってもよい。
【００６６】
カラーフィルタ４６は、画素電極４４に対応して複数設けられる。画素電極４４と、対向電極４５と、カラーフィルタ４６とは、それぞれ実施形態４における画素４８ｂ及び副画素４９ｂを構成する。対向基板４２の液晶層４３と反対側の面には、導光板４７が設けられている。導光板４７は、例えば、アクリル樹脂、ポリカーボネート（ＰＣ）樹脂、メタクリル酸メチル−スチレン共重合体（ＭＳ樹脂）等の透明性を有する板状部材である。導光板４７は、対向基板４２と反対側の面である上面４７Ａに、プリズム加工がなされている。
【００６７】
光源部７２は、実施形態４においては、ＬＥＤである。光源部７２は、図２１に示すように、導光板４７の側面４７Ｂに沿って設けられている。光源部７２は、導光板４７を介して、画像表示パネル４０ｃの前面から、画像表示パネル４０ｃに光を照射する。光源部７２は、画像観察者の操作、又は表示装置１０ｃに取付けられて外光を計測する外光センサ等によって、ＯＮとＯＦＦとが切り替えられる。光源部７２は、ＯＮの場合に光を照射し、ＯＦＦの場合に光を照射しない。例えば、画像観察者が、画像が暗いと感じた場合は、画像観察者は、光源部７２をＯＮにして、光源部７２から画像表示パネル４０ｃに光を照射させ、画像を明るくする。また、外光センサが、外光強度が所定の値より小さいと判断した場合には、例えば信号処理部２０ｃは、光源部７２をＯＮにして、光源部７２から画像表示パネル４０ｃに光を照射させ、画像を明るくする。
【００６８】
次に、画像表示パネル４０ｃによる光の反射について説明する。図２１に示すように、画像表示パネル４０ｃには、外光ＬＯ１が入射される。外光ＬＯ１は、導光板４７及び画像表示パネル４０ｃ内を通って画素電極４４に入射される。画素電極４４に入射された外光ＬＯ１は、画素電極４４に反射され、光ＬＯ２として、画像表示パネル４０ｃ内及び導光板４７内を通って、外部に出射される。また、光源部７２をＯＮにした場合、光源部７２からの光ＬＩ１は、導光板４７の側面４７Ｂから導光板４７内に入射する。導光板４７内に入射された光ＬＩ１は、導光板４７の上面４７Ａで散乱して反射され、一部が光ＬＩ２として、画像表示パネル４０ｃの対向基板４２側から画像表示パネル４０ｃ内に入射し、画素電極４４に照射される。画素電極４４に照射された光ＬＩ２は、画素電極４４により反射され、光ＬＩ３として画像表示パネル４０ｃ及び導光板４７を通って外部に出射する。また、導光板４７の上面４７Ａで散乱した光の他の一部は、光ＬＩ４として反射され、対向基板４２との境界面４０Ａによってさらに反射されて導光板４７内で反射を繰り返す。
【００６９】
すなわち、画素電極４４は、画像表示パネル４０ｃの外部側（対向基板４２側）の面である前面から画像表示パネル４０ｃに入射される外光ＬＯ１又は光ＬＩ２を外部に反射する。外部に反射された光ＬＯ２及びＬＩ３は、液晶層４３及びカラーフィルタ４６を通る。そのため、表示装置１０は、外部に反射される光ＬＯ２，ＬＩ３により、画像を表示することができる。このように、実施形態４に係る表示装置１０ｃは、フロントライト型で、かつ、エッジライト型の光源部７２を有する反射型の表示装置である。なお、実施形態４においては、表示装置１０ｃは、光源部７２及び導光板４７を有するが、光源部７２及び導光板４７を有さなくてもよい。この場合、表示装置１０ｃは、外光ＬＯ１を反射した光ＬＯ２によって、画像を表示することができる。
【００７０】
なお、画素４８ｂは、反射型の液晶表示パネルの画素であることを除いて、割り当てられる色（高輝度色である白、黄又は緑）等の他の特徴については実施形態１の画素４８と同様である。また、副画素４９ｂは、反射型の液晶表示パネルの画素であることを除いて、割り当てられる色（高輝度色である白、黄又は緑）等の他の特徴については実施形態１の副画素４９と同様である。
【００７１】
以上、実施形態４によれば、実施形態１〜３のいずれかの画素４８及び副画素４９の配置ならびに信号処理部２０による信号処理を採用することで、上記で説明した実施形態１〜３と同様の効果を奏することができる。
【００７２】
なお、上記の各実施形態における画素４８及び副画素４９の色及び配置はあくまで一例であってこれに限られるものでなく、特許請求の範囲に記載された発明特定事項により特定される範囲内において適宜変更可能である。例えば、実施形態２，３における画素４８Ｗの数と画素４８Ｙの数の比率は１：１でなくてもよい。また、実施形態３における画素４８Ｗを画素４８Ｙ又は画素４８Ｇに置き換えてもよい。また、画素４８Ｗを副画素４９の色より高輝度の色（例えばシアン（Ｃ）等）に置き換えてもよい。
【００７３】
また、実施形態において述べた態様によりもたらされる他の作用効果について本明細書記載から明らかなもの、又は当業者において適宜想到し得るものについては、当然に本発明によりもたらされるものと解される。
【符号の説明】
【００７４】
１０      表示装置
１１      制御装置
１２      画像出力部
２０      信号処理部
３０      画像表示パネル駆動部
４０      画像表示パネル
４８      画素
４９Ｒ    第１副画素
４９Ｇ    第２副画素
４９Ｂ    第３副画素
【図１】
0006499511.tif 000002
【図２】
0006499511.tif 000003
【図３】
0006499511.tif 000004
【図４】
0006499511.tif 000005
【図５】
0006499511.tif 000006
【図６】
0006499511.tif 000007
【図７】
0006499511.tif 000008
【図８】
0006499511.tif 000009
【図９】
0006499511.tif 000010
【図１０】
0006499511.tif 000011
【図１１】
0006499511.tif 000012
【図１２】
0006499511.tif 000013
【図１３】
0006499511.tif 000014
【図１４】
0006499511.tif 000015
【図１５】
0006499511.tif 000016
【図１６】
0006499511.tif 000017
【図１７】
0006499511.tif 000018
【図１８】
0006499511.tif 000019
【図１９】
0006499511.tif 000020
【図２０】
0006499511.tif 000021
【図２１】
0006499511.tif 000022